(57)【要約】      （修正有）【課題】サドル拭き用雑巾入れや、小物入れを安価に製造、提供し、取り付けも容易で、盗難防止効果も有する自転車のシートポストに取り付ける容器の提供。【解決手段】自転車のシートポスト６に取り付ける小物入れの容器１であって、自転車のシートポスト６の外径より大きい孔を有するコの字型の片２を連接し、もしくは切り出し、該片２を該容器より離す方向に強制湾曲させた際の弾性を利用して、該容器をシートポスト６に密接状態にて保持し、該片２の延長上に、該片２に対して略９０度に形成されるフック部３がシートクランプの一対の挟持片、或いはシートステー８の間に侵入することにより容器１がシートポスト６を軸として回転することを防止する。【選択図】図１
2010126118.tif 000002
【特許請求の範囲】
【請求項１】
自転車に取り付ける容器（１）であって、該容器（１）に直接的に、或は係合手段を介して間接的に連接した片（２）、もしくは該容器（１）より、コの字型状に切り出して該容器（１）の一部に連接した片（２）において、該片を該容器より離す方向に強制湾曲させた際、該容器（１）と該片（２）との連接部、もしくは該片（２）自体の形状弾性により、該片が該容器側に向って、９０度より小さい角度になろうとする弾性を有し、該片（２）の中央付近に、自転車のシートポスト（６）の外径より大きい孔（２ａ）、もしくは一部を開放した略環状の孔（２ｂ）を有することを特徴とする自転車のシートポストに取り付ける容器。
【請求項２】
前記容器（１）において、該片（２）の延長上に、該片に対して略９０度に形成されるフック部（３）を設ける、もしくは該容器（１）より切り出すことを特徴とする請求項１記載の自転車のシートポストに取り付ける容器。
【請求項３】
前記容器（１）において、シートポスト（６）もしくはシートチューブ（７）を弾性的に把持するＣの字型のフック部（４）を形成する、もしくは該容器（１）より、切り出すことを特徴とする請求項１、もしくは２記載の自転車のシートポストに取り付ける容器。
【請求項４】
前記フック部（３）において、シートチューブ（７）に連結するシートクランプの一対の挟持片（９ａ）、もしくはシートピン、もしくはシートクランプのレバー（９ｃ）、もしくはシートクランプのレバーの軸（９ｂ）、もしくはシートステー（８）、もしくは荷台を支持するパイプに引っ掛かることを特徴とする請求項２、もしくは３記載の自転車のシートポストに取り付ける容器。
【請求項５】
前記容器（１）の底部を、２本のシートステー（８）、もしくは荷台を支持するパイプの間に入る、もしくは接触する形態とすることを特徴とする請求項１、もしくは２、もしくは３、もしくは４記載の自転車のシートポストに取り付ける容器。
【発明の詳細な説明】
【技術分野】
【０００１】
この発明は、自転車のシートポストに取り付ける容器に関するものであって、容器および取り付け部の素材に関しては、合成樹脂、金属、或いは防水加工を施した紙などでもよい。容器の形状は四角柱状、四角錐状、三角柱状、三角錐状、円柱状、円錐状、半円柱状、半円錐状など、どのような形状にも対応できる。また、本機能を有する容器は、自転車の取り外し可能なシートポストを取り付け部の孔に挿通して設置するため、容易に外すことができず、盗難防止効果を有する。容器の使用例としては、雨に濡れたサドルやハンドルを拭く雑巾入れや、サドルカバー入れ、ティッシュペーパー入れ、ペットボトルや水筒入れ、タバコやライター入れ、自転車取り付け式の灰皿等としても利用できる。以下、本発明を明確に説明するため、前記、四角柱状の形状をなした容器に、特にサドル拭き用の雑巾を収納することを例とし、記述する。
【背景技術】
【０００２】
自転車は基本的に野外に駐輪しており、雨天の日や、雨が止んだ後でも、サドルやハンドル部分が濡れていることが多い。また水滴の付いたサドルには埃が付着して不衛生になっている。使用者の中には雑巾をサドル後方より、一対の圧縮バネの間に押し込んで、雑巾を自転車に常備している。しかし、この雑巾は露出しているため容易に持ち去られたり、落下して紛失していた。また、見た目にも洗練された感じがなく、大半の使用者は鞄からハンカチやティッシュを取り出してサドルを拭いている場合も多い。
【０００３】
そこでこれまで、この雑巾や小物を入れる容器を自転車に取り付ける工夫がなされてきた。例として、自転車のカゴ上部に収納箱を取り付けるために、金具又は、合成樹脂製の止めフックを取り付け、さらには、収容器を固定するための裏側面止めフックを有する、特開２００６−１４３１６８号公報に記載の「自転車の本体各所をふく布等収納箱」等が公知である。また容器に、Ｕの字型の取り付け部材を設けて、自転車のフレームを挟んで、Ｕの字の開口側をネジで締め付けて固定する方法も知られている。
【０００４】
【特許文献１】特開２００６−１４３１６８号公報
【発明の開示】
【発明が解決しようとする課題】
【０００５】
ところが、前記「自転車の本体各所をふく布等収納箱」では、カゴの上部に止めフックで引っ掛けて止めているため、着脱が容易ではあるが、盗難防止の為には、自転車を使用する度に、取り付け、または取り外す必要があり、便利とは言えない。また、前記Ｕの字型の取り付け部を自転車のフレームにネジで止める方法は、部品点数が増加するため、高価となり、且つ使用者がドライバー等の工具を使って取り付ける手間が発生すると同時に、フレーム表面を傷つけることもあった。
【０００６】
また、前記の公知例以外にも、これまでに自転車に取り付ける雑巾などを入れる小物入れが一般的に普及していない理由に、各種の自転車が実に様々な製品形状をなしており、それらの自転車ほぼ全てに対応できる取り付け方法を見つけることが容易ではなかったことも考えられる。
【０００７】
しかしながら、各自転車には一定の共通点があり、例えばシートポストの外径は０．２ｍｍ単位のサイズで製造されているが、２５．４ｍｍから２７．２ｍｍの外径のものが大半である。また、シートチューブに連結されるシートステーは、シートクランプに連結しているか、もしくはシートクランプの数センチ下に連結されている構造が大半である。或いは、シートクランプの一対の挟持片の内間隔は約２ｃｍ以内のものが大半である。
【０００８】
本発明は一般的な自転車の、このような共通する特徴に着眼したものであり、一部の特殊な使用目的、或いは趣向のために製造された自転車以外には対応できるように工夫がなされている。
【０００９】
本発明が前述の状況に鑑み、解決しようとするところは、雑巾や小物を収納できる容器を、部品点数を増加することなく、安価に製造でき、使用者にとっても、容器を自転車に取り付ける際に工具を必要とせず、力の弱いご年配の方や、女性や子供でも簡単に取り付けられ、尚且つ、盗難防止効果をも有する容器を提供する点にある。
【課題を解決するための手段】
【００１０】
本発明は、前述の課題解決のために、自転車のシートポストに、雑巾や小物を収納できる容器を、その容器と片との連接部や、取り付け部である片の素材自体が持つ弾性を利用して取り付けようとするものである。
【００１１】
本発明によれば、自転車に取り付ける容器は自転車のサドル（５）を支えるシートポスト（６）に取り付けられる。雑巾や小物を収容する容器（１）に直接的に、或はヒンジなどの係合手段を介して間接的に設けられた片（２）、もしくは該容器（１）より、コの字型状に切り出して該容器（１）の一部に連接した片（２）において、該片を該容器より離す方向に強制湾曲させた際、該容器と該片との連接部の弾性、もしくは該片自体の弾性により、該片（２）が該容器側に向って、戻ろうとする作用を有するため、該片（２）の中央付近に設けられた孔（２ａ、２ｂ）に自転車のシートポスト（６）を挿通した際、該容器（１）がシートポスト（６）、もしくはシートチューブ（７）に押し付けられる状態をなし、固定される。
【００１２】
前記、孔の形状に関して、好ましくは、平行する二辺を有する長円型とすることで、断面が円形のシートポストに対して、斜めの角度に設置することができ、片（２）の弾性を有効利用することができる。
【００１３】
また、該片（２）の延長上に、該片に対して略９０度に形成されるフック部（３）を有するため、このフック部（３）が、シートチューブ（７）に連結された２本のシートステー（８）の間に入り、容器（１）がシートポスト（６）を軸として回転することを防ぎ、常に一定の場所に保持される。
【００１４】
また、このフック部（３）は、前記弾性を有するため、シートポスト側に戻ろうとするため、シートチューブ（７）上部に位置し、シートポスト（６）を締め付けて固定するシートクランプ（９）の一対の挟持片（９ａ）の間に侵入し、シートクランプのレバー（９ｃ）を回転させて、このシートクランプ（９）を締める際、シートクランプの両挟持片（９ａ）がフック部（３）の両サイドに食い込み、より強く固定することができる。
【００１５】
容器（１）より、孔を有する片（２）を切り出して形成する場合は、このフック部（３）は、容器の側面に連接した底面より切り出すことも可能である。また、このフック部（３）を、孔を有する片（２）の側面に連接する両側面、もしくは片方の側面より、該片（２）に連接状態にて切り出した場合は、そのフック部（３）はシートクランプのレバー（９ｃ）付近に位置することになり、シートクランプのレバーの軸（９ｂ）等に引っ掛かることにより容器（１）の回転を防止することもできる。
【００１６】
また、このフック部は、シートクランプの一対の挟持片（９ａ）や、それを締め付けるネジであるシートピン、シートクランプのレバーの軸（９ｂ）を把持する形態に形成することもできる。
【００１７】
また容器の保持力を高め、安定的にシートポスト（６）又は、シートチューブ（７）に定着させるために、容器側面、もしくは底面より、シートポスト（６）やシートチューブ（７）を弾性的に把持するＣの字型のフック部（４）を形成する、もしくは切り出すこともできる。このＣの字型のフック部（４）は、例えば、シートクランプの一対の挟持片（９ａ）によってフック部（３）を両サイドより食い込ませて固定することができない構造の自転車であって、尚且つ、２本のシートステー（８）や、荷台を支持する２本のパイプがシートクランプ（９）の位置から、かなり下方にある構造の自転車の場合、フック部（３）はシートステー（８）等の間に入ることもできないため、この弾性を持つＣの字型のフック部（４）でシートポスト（６）、或いはシートチューブ（７）を弾性的に把持して容器を固定しようとするものである。
【００１８】
また、使用者によっては、サドル（５）を高い位置に固定していて、サドル後方底部とシートステー（８）の間に、容器（１）を設置するための充分なスペースがある場合もある。希望によって、容器（１）をシートポスト（６）後方に設置する場合において、前記フック部（３）はシートポストの前方に位置することになる。通常、シートポスト（６）は自転車後方に傾いて設置されているため、シートポスト（６）の後方に位置した容器（１）は、その自重により、前方へ回転することはないが、より確実にシートポスト（６）の後方に設置するため、容器の底部を２本のシートステー（８）等の間に入る形態にする、あるいは容器（１）から片を切り出し、或いは施し、その突出部がシートステー（８）、或は荷台を支持するパイプに接触することにより容器がシートポストを軸として回転することを防止することもできる。
【発明の効果】
【００１９】
前記のように、本発明は、容器、もしくは片、もしくはフック部そのものが持つ弾性を利用して、容器を自転車に固定させることに特徴を持つ。また、取り付けに際しても、シートポストを一旦抜き、該片の孔に挿通してから戻して、シートクランプのレバーを回転させて設置するという、使用者にとっては、さほどの不便を感じることもなく、取り付け用の工具も必要とせず、容易である。しかしながら、この容器を盗もうと試みる者がいても、公衆の面前で、他人の自転車のシートクランプのレバーを回転させて緩め、シートポストを抜き、容器を抜き盗るという行為は、安価な商品であるということもあり、想像しがたく、盗難防止効果も有すると考えられる。
【００２０】
また、製造面においても、例えば合成樹脂製の容器で、穴の開いた片を側面から、フック部は容器の底面から連接して切り出す構造とした場合、一般の合成樹脂製の容器を作るのと、製造コストは、ほとんど変わらないと考えられる。
【００２１】
また、容器から孔を有する片、もしくはフック部を切り出して製造した場合において、濡れた雑巾を入れた際も、容器に穴が形成されているため、通気性を有し、乾燥する。
【００２２】
また、前記、フック部等を切り出して容器を製造した場合において、小物入れとして使用したい場合は、該容器よりも一回り小さい内箱をセットとして製造、販売することもできる。
【００２３】
よって、本発明を利用すれば、非常に安価に、使用者にとって利便性の高い自転車用の雑巾入れや、小物入れ箱を提供することが可能となる。
【発明を実施するための最良の形態】
【００２４】
以下、本発明を実施するための最良の形態について図を参照に説明する。
【００２５】
図１は、自転車のシートポスト（６）に、本発明の容器（１）を設置した例を示している。
【００２６】
図２は、四角柱状の容器（１）の側面に、シートポスト（６）を挿通する孔（２ａ）を有する片（２）と、その延長上に連接したフック部（３）を、容器の底面に施した例を示している。
【００２７】
図３は、前記図２のフック部（３）等をシートポスト（６）に挿通させるために引き上げている状態を示している。弾性を持つ素材の特性を活かして、容器（１）と孔を有する片（２）との連接部と、片（２）と、フック部（３）そのものが反り返り、強制湾曲に対して反発する。
【実施例１】
【００２８】
図４は、シートクランプの一対の挟持片（９ａ）に、フック部（３）が挟まれて食い込み、より強固に固定されている状態の例を示している。
【実施例２】
【００２９】
図５は、弾性的に把持するＣの字型のフック部（４）を容器の底面より切り出して、シートチューブ（７）に弾性的に把持している例を示している。このＣの字型のフック部（４）は、容器の側面から切り出すことも可能である。
【実施例３】
【００３０】
図６は、弾性を有する片の一部を開放した略環状の孔（２ｂ）を有する片（２）がシートポストに弾性的に把持している例を示している。この場合、容器を設置するのにシートポスト（６）を抜く必要はないが、盗難防止効果は低くなる。サドルとシートチューブが直結している等、特殊な形態をした自転車には有効である。
【図面の簡単な説明】
【００３１】
【図１】本発明の容器が自転車に取り付けられている状態の例を示す説明図である。
【図２】本発明の容器から孔を有する片と、フック部を切り出す場合の容器の状態の例を示す斜視図である。
【図３】図２の容器から孔を有する片と、フック部を強制湾曲させている状態の例を示す斜視図である。
【図４】本発明のフック部が、シートクランプの一対の挟持片に食い込んで挟持されている状態の例を示す説明図である。
【図５】本発明の容器から切り出したＣの字型のフック部がシートチューブに把持している状態の例を示す説明図である。
【図６】本発明のシートポストに取り付ける孔が略環状となしている状態の例を示す説明図である。
【符号の説明】
【００３２】
１      容器
２      孔を有する片
２ａ    シートポストが挿通する孔
２ｂ    シートポストに挿通する、或は取り付ける片の一部を開放した略環状の孔
３      フック部
４      Ｃの字型のフック部
５      自転車のサドル
６      自転車のシートポスト
７      自転車のシートチューブ
８      自転車のシートステー
９      自転車のシートクランプ
９ａ    シ−トクランプの一対の挟持片
９ｂ    シートクランプのレバーの軸
９ｃ    シートクランプのレバー
【図１】
2010126118.tif 000003
【図２】
2010126118.tif 000004
【図３】
2010126118.tif 000005
【図４】
2010126118.tif 000006
【図５】
2010126118.tif 000007
【図６】
2010126118.tif 000008